(57)【要約】      （修正有）【課題】蓋部材に配置された逆止弁に不用意に接することを防止することが可能な保存容器を提供する。【解決手段】保存容器１００は、容器本体と、容器本体を密閉状態の下に覆う蓋部材５２０と、蓋部材に形成された開口部５２３に取り付けられ、開口部の周囲において蓋部材に形成された通気孔５２４を介して容器本体の内部から外部にのみ空気を通過させる逆止弁５３０と、からなり、蓋部材には弁を取り囲む保護壁１１０が形成されており、保護壁は逆止弁の高さよりも大きい高さを有している。【選択図】図１
0003165630.tif 000002
【実用新案登録請求の範囲】
【請求項１】
容器本体と、
前記容器本体を密閉状態の下に覆う蓋部材と、
前記蓋部材に形成された開口部に取り付けられ、前記開口部の周囲において前記蓋部材に形成された通気孔を介して前記容器本体の内部から外部にのみ空気を通過させる逆止弁と、
からなる保存容器であって、
前記蓋部材には前記逆止弁を取り囲む保護壁が形成されており、前記保護壁は前記逆止弁の高さよりも大きい高さを有している保存容器。
【請求項２】
前記蓋部材には前記保護壁の周囲において補強用リブが形成されていることを特徴とする請求項１に記載の保存容器。
【請求項３】
前記補強用リブは曲線を含む形状であることを特徴とする請求項２に記載の保存容器。
【考案の詳細な説明】
【技術分野】
【０００１】
本考案は、保存容器、特に、容器本体の内部を低圧状態または残存空気量を少ない状態に維持することが可能な逆止弁付き保存容器に関する。
【背景技術】
【０００２】
この種の逆止弁付き保存容器としては、特開平１１−２９１７８号公報に記載されたものがある。
【０００３】
図４は、同公報に記載された逆止弁付き保存容器の縦断面図である。
【０００４】
図４に示す逆止弁付き保存容器５００は、上方が開口している容器本体５１０と、容器本体５１０の開口面に対して嵌合可能な蓋部材５２０と、蓋部材５２０に取り付けられた逆止弁５３０と、から構成されている。
【０００５】
容器本体５１０と蓋部材５２０はともに合成樹脂製である。
【０００６】
蓋部材５２０の周縁には下方に開口しているパッキンケース５２１が形成されており、パッキンケース５２１の内部には弾性体からなるパッキン５２２が収納されている。蓋部材５２０を容器本体５１０に対して嵌合させると、パッキン５２２によって、蓋部材５２０と容器本体５１０との間の隙間が塞がれ、容器本体５１０の内部は密閉状態となる。
【０００７】
逆止弁５３０は、傘の形状をなした傘状部５３１と、傘状部５３１の中心から下方に延びる中心軸５３２、とから形成されている。
【０００８】
蓋部材５２０には開口部５２３が形成されており、逆止弁５３０は、中心軸５３２が開口部５２３に嵌め込まれることにより、蓋部材５２０に取り付けられている。中心軸５３２にはその下端付近において輪留め部材５４０が取り付けられており、輪留め部材５４０によって、中心軸５３２が開口部５２３から抜け出ないようにされている。
【０００９】
蓋部材５２０には開口部５２３の周囲において複数個の通気孔５２４が形成されている。逆止弁５３０の傘状部５３１は通気孔５２４を覆うことが可能な大きさを有しており、傘状部５３１の先端は蓋部材５２０の表面に接することにより、傘状部５３１の周囲から空気が外部に漏出しないようになっている。
【００１０】
逆止弁５３０は、例えば、ゴムその他の弾性体からなる。逆止弁５３０は容器本体５１０の内部から外部にのみ空気を通過させ、外部から容器本体５１０の内部に空気が侵入することを防止する機能を有している。
【００１１】
保存容器５００は、例えば、以下のようにして使用される。
【００１２】
まず、容器本体５１０に食材を入れた後、蓋部材５２０を容器本体５１０に対して閉める。これにより、容器本体５１０の内部は密閉状態になる。
【００１３】
次いで、電子レンジその他の加熱機器により、保存容器５００ごと内部の食材を加熱する。
【００１４】
加熱されることにより、容器本体５１０の内部の空気は膨張し、膨張した分の空気は逆止弁５３０を介して、保存容器５００の外部へ放出される。
【００１５】
さらに、蓋部材５２０を下向きに押圧し、容器本体５１０の内部容積を強制的に小さくすることにより、容器本体５１０の内部に残存していた空気が逆止弁５３０を介して保存容器５００の外部へ放出される。
【００１６】
これにより、容器本体５１０の内部は脱気され、その結果として、空気濃度ひいては残存空気濃度が低い状態に維持される。
【００１７】
この後、保存容器５００を冷蔵庫その他の冷却機器により、冷却する。
【００１８】
容器本体５１０の内部は脱気されているため、残存酸素濃度が低くなっており、容器本体５１０の内部の食材の酸化を防止することができるとともに、さらに、冷却されることにより、好気性細菌の繁殖を防止することもできる。
【考案の開示】
【考案が解決しようとする課題】
【００１９】
容器本体５１０の内部の密閉状態を解除する場合には、逆止弁５３０の傘状部５３１に形成されている凸状部５３３をつまんで持ち上げ、傘状部５３１を開かせ、通気孔５２４を介して容器本体５１０の内部に外気を流入させる。
【００２０】
あるいは、傘状部５３１の中心を上方から押圧し、傘状部５３１を撓ませることにより、傘状部５３１の外周を開かせ、通気孔５２４を介して容器本体５１０の内部に外気を流入させる。
【００２１】
図４に示す従来の保存容器５００においては、逆止弁５３０は外部に露出した状態にあるため、例えば、ユーザーが不用意に指で逆止弁５３０の傘状部５３１に触れてしまい、傘状部５３１を開かせてしまうことがあった。このような場合には、傘状部５３１が開いた箇所から外気が容器本体５１０の内部に流入することになり、容器本体５１０の内部の真空度が低下する。
【００２２】
あるいは、逆止弁５３０に気が付かずに、蓋部材５２０の上に別の物を置いてしまったような場合にも、同様の事態になる。
【００２３】
また、逆止弁５３０を蓋部材５２０に取り付けるため、蓋部材５２０には開口部５２３が形成されており、さらに、容器本体５１０の内部の空気を抜くため、開口部５２３の周囲には複数個の通気孔５２４が形成されている。
【００２４】
このため、保存容器５００を経年使用すると、特に、開口部５２３及び通気孔５２４の近辺において、蓋部材５２０に歪みやひび割れなどが発生していた。蓋部材５２０が歪むと、蓋部材５２０と容器本体５１０との間の密閉状態を維持することが困難になり、また、蓋部材５２０にひび割れが発生すると、外気がひび割れから容器本体５１０の内部に徐々に侵入するおそれがある。
【００２５】
本考案はこのような従来の保存容器における問題点に鑑みてなされたものであり、不用意に逆止弁に接することを防止することが可能であり、さらには、蓋部材の歪みあるいはひび割れを防止することが可能な保存容器を提供することを目的とする。
【課題を解決するための手段】
【００２６】
以下に、「考案を実施するための最良の形態」において使用される参照符号を用いて、上述の課題を解決するための手段を説明する。これらの参照符号は、「実用新案登録請求の範囲」の記載と「考案を実施するための最良の形態」の記載との間の対応関係を明らかにするためにのみ付加されたものであり、「実用新案登録請求の範囲」に記載されている考案の技術的範囲の解釈に用いるべきものではない。
【００２７】
上記の目的を達成するため、本考案は、容器本体（５１０）と、前記容器本体（５１０）を密閉状態の下に覆う蓋部材（５２０）と、前記蓋部材（５２０）に形成された開口部（５２３）に取り付けられ、前記開口部（５２３）の周囲において前記蓋部材（５２０）に形成された通気孔（５２４）を介して前記容器本体（５１０）の内部から外部にのみ空気を通過させる逆止弁（５３０）と、からなる保存容器（１００）であって、前記蓋部材（５２０）には前記逆止弁（５３０）を取り囲む保護壁（１１０）が形成されており、前記保護壁（１１０）は前記逆止弁（５３０）の高さよりも大きい高さを有している保存容器（１００）を提供する。
【００２８】
本考案に係る保存容器（２００）においては、前記蓋部材（５２０）には前記保護壁（１１０）の周囲において補強用リブ（２１０）が形成されていることが好ましい。
【００２９】
前記補強用リブ（２１０）は、例えば、曲線を含む形状であることが好ましい。
【考案の効果】
【００３０】
本考案に係る保存容器においては、保護壁は逆止弁を取り囲む形状をなしており、さらに、保護壁は逆止弁の高さよりも大きい高さを有している。このため、ユーザーの指が不用意に逆止弁に触れようとしても、保護壁により阻止される。このため、ユーザーが不用意に指で逆止弁に接することをなくすことが可能であり、あるいは、逆止弁に気が付かずに、蓋部材の上に別の物を置いたとしても、保護壁により、逆止弁に圧力がかかることを防止することができる。
【００３１】
さらに、保護壁は逆止弁の周囲に形成されるため、逆止弁の周囲における蓋部材の強度を上げ、蓋部材の歪みを防止することも可能である。
【００３２】
また、真空ポンプその他のバキューム装置を用いて容器本体の内部の空気を排気する場合、真空ポンプの吸引部の先端の形状としては、前述の特開平１１−２９１７８号公報の図５に示す椀状のものの他に、半球状のものも使用することが可能である。真空ポンプの吸引部の先端の形状が半球状である場合、半球状先端が保護壁の内壁側の縁に密着することになるため、気密状態を維持することが可能である。
【図面の簡単な説明】
【００３３】
【図１】図１（Ａ）は本考案の第一の実施形態に係る保存容器の部分的な縦断面図、図１（Ｂ）は同保存容器を上方から見た部分的な平面図である。
【図２】図２（Ａ）は本考案の第二の実施形態に係る保存容器の部分的な縦断面図、図２（Ｂ）は同保存容器を上方から見た部分的な平面図である。
【図３】図３は本考案の第三の実施形態に係る保存容器における補強用リブの縦断面図である。
【図４】従来の保存容器の縦断面図である。
【考案を実施するための最良の形態】
【００３４】
（第一の実施形態）
図１（Ａ）は本考案の第一の実施形態に係る保存容器１００の部分的な縦断面図、図１（Ｂ）は保存容器１００を上方から見た部分的な平面図である。
【００３５】
本実施形態に係る保存容器１００においては、図４に示した従来の保存容器５００と比較して、蓋部材５２０には逆止弁５３０を取り囲む保護壁１１０が形成されている。保護壁１１０が形成されている点を除いて、本実施形態に係る保存容器１００は図４に示した従来の保存容器５００と同一の構造を有している。このため、従来の保存容器５００と同一の構成要素に対しては同一の参照符号を使用する。
【００３６】
図１（Ｂ）に示すように、保護壁１１０はリング状をなしており、さらに、図１（Ａ）に示すように、保護壁１１０は逆止弁５３０の高さよりも大きい高さを有している。
【００３７】
このように、本実施形態に係る保存容器１００においては、保護壁１１０は逆止弁５３０よりも高く形成されているため、ユーザーの指が不用意に逆止弁５３０に触れようとしても、保護壁１１０により阻止される。このため、ユーザーが不用意に指で逆止弁５３０に接することをなくすことが可能であり、あるいは、逆止弁５３０に気が付かずに、蓋部材５２０の上に別の物を置いたとしても、保護壁１１０により、逆止弁５３０に圧力がかかることを防止することができる。
【００３８】
さらに、保護壁１１０は逆止弁５３０の周囲に形成されるため、逆止弁５３０の周囲における蓋部材５２０の強度を上げ、蓋部材５２０の歪みを防止することも可能である。
【００３９】
なお、保護壁１１０は蓋部材５２０と一体的に形成してもよく、あるいは、保護壁１１０を蓋部材５２０とは別個に形成し、保護壁１１０を蓋部材５２０の表面に接着させることも可能である。
【００４０】
また、保護壁１１０の形状はリング状に限定されない。逆止弁５３０を取り囲む形状をなしている限りにおいて、任意の形状を選択することができる。例えば、保護壁１１０の形状としては、多角形形状、楕円形状、直線と曲線とを組み合わせた形状などを選択することができる。
【００４１】
なお、逆止弁５３０の構造は本実施形態における構造には限定されない。逆止弁５３０の上部を操作することにより、容器本体５１０の内部に空気を流入させることができる構造を有する逆止弁５３０であれば、いかなる逆止弁であっても、本実施形態に係る保存容器１００の構造を適用することができる。
【００４２】
（第二の実施形態）
図２（Ａ）は本考案の第二の実施形態に係る保存容器２００の部分的な縦断面図、図２（Ｂ）は保存容器２００を上方から見た部分的な平面図である。
【００４３】
本実施形態に係る保存容器２００においては、図２（Ｂ）に示すように、保護壁１１０の周囲において蓋部材５２０には補強用リブ２１０が形成されている。
【００４４】
図２（Ａ）に示すように、補強用リブ２１０は半球状の縦断面を有している。また、図２（Ｂ）に示すように、補強用リブ２１０の平面形状は保護壁１１０の平面形状にほぼ相似した形状をなしている。
【００４５】
蓋部材５２０に補強用リブ２１０を形成することにより、蓋部材５２０の歪み、特に、保護壁１１０の周囲における蓋部材５２０の歪みを防止することができる。
【００４６】
補強用リブ２１０の平面形状及び断面形状は本実施形態において示したものには限定されない。補強用リブ２１０の断面形状は半球状には限定されず、任意の断面形状を選択することができる。さらに、補強用リブ２１０の平面形状は保護壁１１０の平面形状にほぼ相似した形状に限定されるものではなく、保護壁１１０を取り囲む平面形状である限りにおいて、任意の平面形状とすることができる。例えば、本実施形態における補強用リブ２１０は曲線形状をなしているが、直線形状とすることも可能であり、あるいは、曲線形状と直線形状とを組み合わせた形状とすることも可能である。
【００４７】
（第三の実施形態）
図３は本考案の第三の実施形態に係る保存容器３００における補強用リブ３１０の縦断面図である。
【００４８】
図３に示すように、本実施形態に係る保存容器３００においては、補強用リブ３１０の縦断面における蓋部材５２０と補強用リブ３１０との接合部分は円弧状に形成されている。すなわち、「Ｒ」が形成されている。
【００４９】
第二の実施形態における補強用リブ２１０は蓋部材５２０との接合部分が直角をなしているため、この接合部分に付着したゴミを取り除きにくい。これに対して、本実施形態に係る保存容器３００においては、蓋部材５２０と補強用リブ３１０との接合部分を円弧状に形成しているため、蓋部材５２０と補強用リブ３１０との接合部分に付着したゴミであっても、容易に取り除くことができる。
【符号の説明】
【００５０】
１００  本考案の第一の実施形態に係る保存容器
１１０  保護壁
２００  本考案の第二の実施形態に係る保存容器
２１０  補強用リブ
３００  本考案の第二の実施形態に係る保存容器
３１０  補強用リブ
５１０  容器本体
５２０  蓋部材
５３０  逆止弁
【図１】
0003165630.tif 000003
【図２】
0003165630.tif 000004
【図３】
0003165630.tif 000005
【図４】
0003165630.tif 000006